(57)【要約】【課題】ユーザの思い出情報あるいは思い出連想情報を効果的に提示することで、より娯楽性の高い思い出情報提示システムを提供する。【解決手段】ユーザの記憶を思い出させる効果がある音楽や画像のデータ（思い出情報）を日時情報と位置情報とに関連させてナビゲーション装置に記憶しておき、現在位置取得手段によって取得された現在位置が、前記位置情報が示す位置に近づいたことを判定すると、前記思い出情報を提示するとともに、前記思い出情報に関連された日時情報に基づいてユーザの体験を連想させる、前記思い出情報とは別の情報（思い出連想情報）を提示する。【選択図】図１６
2008039573.tif 000002
【特許請求の範囲】
【請求項１】
車両の現在位置を取得する現在位置取得手段と、
画像データを取得する画像データ取得手段と、
楽曲データを取得する楽曲データ取得手段と、
前記取得した画像データおよび楽曲データを記憶する記憶手段と、
これらを制御する制御手段と、を具備し、
前記画像データには、その画像を撮影した撮影日時の情報と、その画像を撮影した撮影地点の情報とが関連付けられて前記記憶手段に記憶されており、
前記楽曲データには、その楽曲の再生頻度、再生日時、の情報とが関連づけられて前記記憶手段に記憶されており、
前記制御手段は、前記取得した現在位置と、前記撮影地点とが所定距離以内にあることを条件として、該当する前記画像データをユーザに対して提示するとともに、
前記提示された画像データの撮影日時を基準とする所定時間範囲内において、最も頻繁に再生された楽曲データを、前記再生頻度の情報と前記再生日時の情報とから特定し、特定したその楽曲データをユーザに対して提示すること、
を特徴とする思い出情報提示システム。
【請求項２】
請求項１に記載の思い出情報提示システムにおいて、
前記制御手段は、前記再生頻度の情報と再生日時の情報とから前記楽曲データが最も頻繁に再生された最頻再生日時を算出し、ユーザが前記楽曲データを再生することをきっかけとして、前記楽曲データの最頻再生日時に最も近い撮影日時の情報が関連付けられている前記画像データを特定し、該当する画像データをユーザに対して提示すること、
を特徴とする思い出情報提示システム。
【請求項３】
請求項２に記載の思い出情報提示システムにおいて、前記現在位置から前記画像データの撮影地点までの経路案内を行うこと、
を特徴とする思い出情報提示システム。
【発明の詳細な説明】
【技術分野】
【０００１】
本発明は、ユーザの思い出に関する情報をより効果的に提示する、思い出情報提示システムに関する。
【背景技術】
【０００２】
一般に思い出というものは、過去の印象的な体験の記憶である。そして印象的であるがゆえに、その体験のごく一部は画像や音楽などの情報として保存されることが多い。これらの情報は、前記体験の記憶そのもの、すなわち思い出そのものではないが、ユーザに前記体験の記憶、すなわち思い出を直接的に想起させる効果のある情報（以下、思い出情報と呼ぶ）であるといえる。この思い出情報を利用することでユーザは効果的に思い出を想起することができる。上記を踏まえ、ユーザに思い出を感じさせて楽しませようとする技術が考えられている。
【０００３】
具体的には、車載用ナビゲーションシステムのハードディスク装置に、ナビゲーション処理用のデータ以外のデータを記憶しておき、地図データとの連携を図るものが特許文献に開示されている。
【０００４】
これには、たとえばユーザにとっての特別な思い出の場所に対して、特定の音楽データを対応させて前記ハードディスク装置に記憶させておき、その場所に来たときに、その音楽を演奏させたり、あるいは特定の場所に対して音声入力したコメントを記憶させておき、その場所に来たときに音声出力させるようにしたり、さらには特定の場所で撮った写真や動画を記憶させて、その場所に来たときに表示装置に表示させることが記載されている。
【特許文献１】特開２００２−３６５０６３号公報
【発明の開示】
【発明が解決しようとする課題】
【０００５】
ところで、本願の発明者は、前記思い出情報には、その思い出の原因である前記体験、をした地点（体験地点情報）と、前記体験をした日時（体験日時情報）とが必ず関連していることに着目した。
【０００６】
またさらに本願の発明者は、体験日時付近で得た、ある体験の記憶は、たとえそれがユーザの思い出の体験にかかわる記憶とは異なるものであっても、前記思い出を間接的に連想させるものである可能性が高いということに着目した（ここで、前記体験日時付近で得た体験に関わる情報を説明上、思い出連想情報と呼ぶ）。
【０００７】
これに対して上記特許文献１に記載の技術は、単にユーザの思い出情報と体験地点情報を関連させて思い出情報のみを提示しているに過ぎず、ユーザに対して十分に思い出を想起させることができない。
【０００８】
本発明は上記課題を解決するためになされたものであり、その目的はユーザに対して思い出情報を提示する際に、より効果的にユーザに思い出を想起させることのできる、思い出情報提示システムを提供することにある。
【課題を解決するための手段】
【０００９】
上記課題を解決するために、請求項１に記載の思い出情報提示システムでは、車両の現在位置を取得する現在位置取得手段と、画像データを取得する画像データ取得手段と、楽曲データを取得する楽曲データ取得手段と、前記取得した画像データおよび楽曲データを記憶する記憶手段と、これらを制御する制御手段と、を具備し、前記画像データには、その画像を撮影した撮影日時の情報と、その画像を撮影した撮影地点の情報とが関連付けられて前記記憶手段に記憶されており、前記楽曲データには、その楽曲の再生頻度、再生日時、の情報とが関連づけられて前記記憶手段に記憶されており、前記制御手段は、前記取得した現在位置と、前記撮影地点とが所定距離以内にあることを条件として、該当する前記画像データをユーザに対して提示するとともに、前記提示された画像データの撮影日時を基準とする所定時間範囲内において、最も頻繁に再生された楽曲データを、前記再生頻度の情報と前記再生日時の情報とから特定し、特定したその楽曲データをユーザに対して提示すること、を特徴とする。
【００１０】
このようにすることで、ユーザがなにか印象的な体験をした際に、その記念として画像を撮影して記憶手段に記憶させる際、その画像データには撮影日時と撮影地点の情報が関連付けられているために、ユーザが再びその撮影地点付近を訪れたときに、前記撮影した画像が提示される。そしてさらに、楽曲データに、再生頻度（再生回数）と再生日時とを関連付けて記憶手段に記憶させているために、前記画像データの撮影日時から所定時間範囲内に最も頻繁に再生した楽曲データを特定し、その楽曲データをもユーザに対して提示することができる。
【００１１】
ゆえにユーザは、前記画像を撮影した日時から時間的に近い範囲の日時に頻繁に聴いていた楽曲が前記画像とともに提示されるので、より前記印象的な体験（思い出）を想起しやすくなる。すなわちより効果的に思い出を想起することができるようになる。
【００１２】
次に、請求項２に記載の思い出情報提示システムによれば、請求項１に記載の思い出情報提示システムにおいて、前記制御手段は、前記再生頻度の情報と再生日時の情報とから前記楽曲データが最も頻繁に再生された最頻再生日時を算出し、ユーザが前記楽曲データを再生することをきっかけとして、前記楽曲データの最頻再生日時に最も近い撮影日時の情報が関連付けられている前記画像データを特定し、該当する画像データをユーザに対して提示すること、を特徴とする。
【００１３】
請求項１の発明で述べたように、記憶手段に楽曲データを再生頻度（再生回数）と再生日時とを関連付けて記憶させているために、前記楽曲データを最も頻繁に聴いていた日時（最頻再生日時）を算出することもできる。そして、この請求項２の発明ではユーザが記憶手段内の任意の楽曲データを再生したときに、その楽曲の最頻再生日時に最も近い撮影日時の情報を持つ画像データが提示されるので、前記最頻再生日時の思い出をより効果的に想起することができるようになる。
【００１４】
また、請求項３に記載の思い出情報提示システムによれば、請求項２に記載の思い出情報提示システムにおいて、前記現在位置から前記画像データの撮影地点までの経路案内を行うこと、を特徴とする。
【００１５】
このようにすれば、ユーザが記憶手段内の任意の楽曲データを再生したときに、その楽曲の最頻再生日時に最も近い撮影日時の情報を持つ画像データが提示されるとともに、車両の現在位置からその画像データの撮影地点までの経路案内が行われるので、前記最頻再生日時に近い日時に行ったことのある印象深い場所（画像を撮影した場所）を簡単に訪問することができる。ゆえに、思い出をより効果的に想起することができるようになる。
【発明を実施するための最良の形態】
【００１６】
以下、本発明の思い出情報提示システムが車載用ナビゲーションシステムに適用された実施の形態について、図例を交えて説明する。また実施形態において、思い出情報や思い出連想情報に相当する情報とは、後述する楽曲データ、画像データをさす（以後、これらが思い出情報にも思い出連想情報にもなりうるものであることから、「思い出の情報」とも称する）。
【００１７】
なお、これから説明する各実施例（一部の変形例を除く）に共通するのは、次のことである。まず前記思い出の情報を思い出情報提示システムに登録する。そして登録した思い出の情報から、所定の思い出情報や思い出連想情報をユーザが選択することにより、これら思い出の情報が提示されるための提示条件（出力条件）を設定する。最後に前記出力条件に基づいて実際に該当する思い出の情報を提示する、ということである。
【００１８】
以下、システムなどの全体構成、思い出の情報の登録動作、出力条件の設定、各実施例における実際の提示動作について順を追って説明する。
【００１９】
［システムなどの全体構成］
まず図１は本実施形態の思い出情報提示システムの構成を示すものである。
【００２０】
思い出情報提示システム１は、車両の現在位置を検出する位置検出部１０、ＣＤ（Ｃｏｍｐａｃｔ  Ｄｉｓｋ）１１ａからデータを読み出すＣＤドライブ１１、ユーザが各種指示を入力するための操作部１２、外部インフラ１３との間で無線通信によりデータの授受を行う送受信機１４、ユーザに対して地図表示などを提示するための表示部１５、マイクやスピーカや音声認識装置（いずれも不図示）からなる音声入出力部１６、車両周囲を撮影する車載カメラ１７ａ、携帯電話１７ｂとの情報授受を行う情報授受部１７、地図データなどを格納し、また格納されたデータを読み出すＨＤＤ（Ｈａｒｄ  Ｄｉｓｋ  Ｄｒｉｖｅ）装置１８、これらを制御する制御部１９を備えている。
【００２１】
位置検出器１０は、人工衛星からの信号を受信するためのＧＰＳ（Ｇｌｏｂａｌ  Ｐｏｓｉｔｉｏｎｉｎｇ  Ｓｙｓｔｅｍ）受信機、走行距離を検出する距離センサ、車両の回転運動の量を検出するジャイロスコープ（いずれも不図示）を備えている。制御部１９はこれらのセンサからの出力信号に基づいて車両の位置、方位、速度等を算出する。ＧＰＳによる測位の方法としては単独測位法が一般的であるが、相対測位法を用いても良い。
【００２２】
ＣＤドライブ１１は、制御部１９からの指令に基づいて、楽曲データが記録されたＣＤ１１ａから前記楽曲データを読み出し、制御部１９に出力する。なお、制御部１９に出力された楽曲データは自動的にＨＤＤ装置１８に格納されるようになっている。
【００２３】
操作部１２はメカニカルなキースイッチ等から構成されており、ユーザからの様々な操作指令を受け付けて、その指令を制御部に指令信号として送るようになっている。
【００２４】
表示部１５は液晶ディスプレイや有機ＥＬ（Ｅｌｅｃｔｒｏ  Ｌｕｍｉｎｅｓｃｅｎｃｅ）ディスプレイからなり、位置検出器１０で検出した車両の現在位置とＨＤＤ装置１８に記憶された地図データとから特定した現在位置を示すシンボルマーク、目的地までの経路、特定の場所をメモリ地点として登録しておけばそのメモリ地点のシンボルマーク、その他各種施設の名称やそのシンボルマーク等の付加的データ（以下、アイコンデータと呼ぶ）を重ねて表示できる。このアイコンデータはＨＤＤ装置１８に格納されている。なお、表示部１５と、操作部１２の一部はタッチパネル式の表示装置のように一体として構成されている。
【００２５】
音声入出力部１６はＣＤドライブ１１により入力した楽曲データの再生音声や施設の案内などの各種案内音声をスピーカから出力するほか、ユーザがマイクにより音声を発話するとその入力した音声を音声認識装置により認識し、認識結果に基づく電気信号を制御部１９に出力するものである。これによりユーザがマイクに様々な音声を入力することにより、思い出情報提示システム１を操作できる。
【００２６】
車載カメラ１７ａは車両に搭載され、ユーザの操作によって車両周囲を撮影し、画像データとして情報授受部に送信する。画像データには画像関連データとして、撮影日時情報と位置検出器１０により取得される位置情報、すなわち撮影地点情報が自動的に付与される。
【００２７】
携帯電話１７ｂは画像撮影手段を有しており、撮影した画像のデータを携帯電話網（不図示）を介して情報授受部１７に送る。一般的に西暦２００６年現在、携帯電話で取得された画像データにはファイル名として撮影日時情報が自動的に付与されるが、西暦２００７年４月以降、携帯電話事業者が新規に提供する第３世代携帯電話端末については、原則としてＧＰＳ測位方式による位置情報通知機能に対応するよう義務付けられているため、前記第３世代携帯電話端末にて画像データを取得した場合には、撮影日時情報に加え、撮影位置情報も付与される。また、撮影手段を有していない携帯電話であっても自身が受信した画像データを情報授受部１７に送信することは可能である。
【００２８】
制御部１９はＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびこれらを接続するバスラインなどからなるマイクロコンピュータを主体に構成され、ＲＯＭおよびＲＡＭから読み出した、思い出情報提示システム１を動作させるためのプログラムに基づいて各種処理を実行する。
【００２９】
具体的にはたとえば、位置検出器１０からの各検出信号に基づき車両の現在位置および進行方向を算出し、ＨＤＤ装置１８に記憶された現在位置付近の地図等を表示部１５に表示する現在位置表示処理や、ＨＤＤ装置１８に格納された地図データとユーザが設定した目的地とに基づいて、現在位置から目的地までの最適な経路を算出する経路算出手段や、その算出した経路を表示部に表示させたり、音声入出力部１６に音声として出力させることにより経路案内する経路案内処理を実行する。また、ＣＤ１１ａからＣＤドライブ１１により読み出した楽曲データをＨＤＤ装置１８に記憶させたり、情報授受部１７から取得した各データをＨＤＤ装置１８に記憶させる処理を実行する。
【００３０】
ＨＤＤ装置１８の中には地図データや案内用の音声データ、音声認識データ、ＣＤドライブ１１により読み出された楽曲データ、アイコンデータ、情報授受部１７により取得した画像データなどが格納（記憶）されており、制御部１９の指示に基づいて前記各種データの読み出し、書き込みを行う。
【００３１】
ところで、ＨＤＤ装置１８内部に格納されたデータの構成は図２のようになっている。ＨＤＤ装置１８に格納されたデータは２進（あるいは１６進）データ列として構成され、核となるメインデータのほか、メインデータに関連するデータが付与データ１、付与データ２、・・・として順次メインデータに付与され格納されていく。ＨＤＤ装置１８には上述したように、各種データ（地図データ、案内用音声データ、音声認識データ、楽曲データ、画像データ、アイコンデータ等）が格納されているが、ここではとくに、本発明にかかわるものとして楽曲データ、画像データのデータ構成（思い出の情報のデータ構成）について説明する。
【００３２】
まず、楽曲データはたとえば図３に示すように、個々の楽曲データが複数集まったアルバムデータであり、それぞれ、関連データ（アルバム関連データ）として、そのアルバムのジャンルを示すジャンルデータが付与されている。そして、アルバムデータには、そのアルバムに収録された楽曲データが付与されている
図４は、図３に示すアルバムデータが収録する、個々の楽曲データの構成例を表した表であり、具体的には、図３において、アルバムデータ１に収録されている楽曲データ（たとえば太枠にて囲んだ部分３００）の詳細構成である。ここで、これらアルバム内の収録楽曲データは、個々の楽曲データそれぞれに対してジャンルデータと再生回数データ、各再生回の再生日時データが楽曲関連データとして付与されている。そして上述したアルバム関連データあるいは楽曲関連データのうち、ジャンルデータについてはユーザが操作部１２から指示して任意で入力、編集する。また再生回数データは、楽曲を再生した時点で、自動的に１回ずつ更新され、各再生回の再生日時データも、そのたびに１つずつ追加される。
【００３３】
ところで、このようなアルバム関連データや楽曲関連データの一部は、ＣＤドライブ１１にてＣＤ１１ａから楽曲データが読み出されると同時に、送受信機１４が外部インフラ１３と通信して取得する。ここでいう外部インフラ１３とは、具体的にはＣＤＤＢ（ＣＤ  ＤａｔａＢａｓｅ）サーバである。このＣＤＤＢサーバとは、楽曲ごとの曲名、演奏時間、演奏者名、作曲者名、前記楽曲あるいは前記楽曲が収録されているアルバムの発売日、当該アルバムの名称、演奏者名、作曲者名、前記楽曲のアルバム中でのトラック番号などのデータを多数（たとえば１００万曲分）有しているデータベースである。なお、上記のＣＤＤＢサーバが提供するデータ群の一部は、予めＨＤＤ装置１８内に格納されていてもかまわない。
【００３４】
一方で画像データについては、車載カメラ１７ａや携帯電話１７ｂにより撮影されて、またユーザにより取捨選択されてＨＤＤ装置１８に保存される。そして、図５にその構成例を示すように当該画像を撮影した日時データ（撮影日時データ）、当該画像を撮影した地点の緯度経度データ（撮影地点データ）、当該画像を再生した履歴である再生回数データ、ジャンルデータ等の画像関連データが付与される。なお、撮影地点データ、ジャンルデータはユーザにより入力、編集可能である。
【００３５】
なお、ジャンルデータとは、楽曲データや画像データを、ＨＤＤ装置１８に記憶させる際に付与するべきジャンルであり、たとえば楽曲データに対しては「クラシック」、「ロック」、などのジャンルを予め用意しておき、ユーザが操作部１２を用いて選択して付与するか、あるいはユーザが創作し、たとえば「成功した思い出」、「失敗した思い出」などとして付与しても良い。また画像データに対しても同様に、「クラシック」、「ロック」、「成功した思い出」、「失敗した思い出」などとしてジャンルデータを付与しても良い。
【００３６】
［思い出の情報の登録動作の説明］
以下、これらの思い出の情報がＨＤＤ装置１８に登録され、上述した図のように構成されるための制御部１９の動作を説明する。
【００３７】
［楽曲データの登録動作の説明］
まず、図３乃至図４にて示すアルバムデータおよび楽曲データについてであるが、これらはＣＤドライブ１１によって読み出されると同時に、制御部によって上述したようなアルバム関連データおよび楽曲関連データを付与され、ＨＤＤ装置１８に自動的に記憶される。
【００３８】
続いて、これら図５に示すような画像データがユーザによって構成されるための制御部１９の動作を、ユーザの操作例と合わせて、図６に示すフローチャートなどをもとに説明する。なお、安全上の観点から、この登録動作は車両が停車している場合にのみ行うことが許可されるようにすることが好ましい。すなわちユーザは車両停車中にのみ、画像データの登録操作を行うことができる。
【００３９】
［画像データの登録動作の説明］
図６に示すフローチャートは画像データを思い出の情報として登録するためのものであり、その登録動作の開始（ステップＳ６００）は、ユーザが操作部１２を操作することによってなされる。すなわちたとえば図７に示すように制御部１９は表示部１５に本システムの動作開始スイッチ７１０（ここでは「思い出機能」メニュー７００）を含むメニュー画面を表示させ、ユーザは前記スイッチ７１０を選択してシステムを動作させることができる。ステップＳ６００での動作開始をうけて、ユーザに画像データやアイコンデータの入力を促すために制御部１９は表示部１５に図８のような画面を表示させる。ユーザがステップＳ６００からステップＳ６１０に移行するには、たとえば図８で「思い出の情報の登録・編集」という項目８００のうち、「画像データを登録」メニュー８１０を選択すればステップＳ６１０に移行する。
【００４０】
ステップＳ６１０は思い出の情報としてＨＤＤ装置１８に記憶させるべき画像データをユーザに選択させるステップである。情報授受部１７により画像データが入力された場合、制御部１９はＨＤＤ装置１８に前記画像データを記憶させる。それとともに、前記画像が撮影された地点の緯度経度情報や、前記画像が撮影された日時情報を前記画像データに付与して記憶させる。このとき、画像データは自動的にＨＤＤ装置に記憶されてもよいが、好ましくは、制御部１９は情報授受部１７により入力された画像データを一旦ＲＡＭに記憶しておき、この画像データをＨＤＤ装置１８に記憶するか否かをユーザに問う表示（図９に例示）を表示部１５に表示させる。
【００４１】
そして、ユーザが操作部１２を用いて、ＨＤＤ装置１８に思い出の情報として記憶させておきたい画像データを選択する（たとえば図９にて保存したい画像データを選択ボタン９００により選択する）ことによって、はじめてＨＤＤ装置１８に記憶されるようにする。こうすればユーザにとって不要なデータが記憶されることが抑止される。すなわちステップＳ６１０によって、ユーザは情報授受部１７に入力された膨大な画像データから、ＨＤＤ装置１８に記憶させたい画像データを取捨選択し、前記画像データに関連する画像関連データ（地点情報やジャンル）を付与して保存することが可能となる。なお、ユーザがボタン９００を選択した時点で動作はステップＳ６２０に移行する。
【００４２】
ステップＳ６２０は上記のステップが完了したか否か（記憶したいデータを全て選択し終えたか否か）を判定するステップであり、上記ステップが完了した旨をユーザが操作部１２により指示する（ステップＳ６２０：ｙｅｓ）と制御部は動作ステップをＳ６３０に移行し、逆に未完了である間、すなわちユーザの指示がなされない間（ステップＳ６２０：ｎｏ）はステップ７１０に戻る。ここでいう指示とは、たとえば図９においてユーザが「保存する」メニュー９１０を選択することをさす。これをうけてステップはＳ６３０に移行する。
【００４３】
次にステップＳ６３０は上記の画像データに対して撮影地点情報が付与されているか否かを判定するステップである。この意義は、ＧＰＳ機能を持たない携帯電話１７ｂによって撮影された画像は地点情報を持っていないので、ユーザは本ステップにおいてこれら画像データに手動で地点情報を付与できるところにある。
【００４４】
具体的には、制御部１９は図１０に示すように、表示部１５に前記地点情報の入力を促す画面を表示し、入力待ち状態となる。そしてユーザが本ステップＳ６３０にて、たとえば図１０で「入力する」メニュー１０１０を選択（ステップＳ６３０：ｙｅｓ）し、地点情報が付与されていないデータに地点情報を入力（ステップＳ６４０）した上で、「入力を終了して次へ」メニュー１０２０を選択するか、または地点情報を入力しないと決定して「入力しないで次へ」メニュー１０００を選択する（ステップＳ６３０：ｎｏ）と、動作をステップＳ６５０に移行する。またステップＳ６３０にて、ユーザが選択した全ての画像データに地点情報が付与されている（ステップＳ６３０：ｎｏ）場合には図１０のような画面を経ずにステップＳ６５０に進む。
【００４５】
ステップＳ６５０は上記ステップ群にて選択した画像データに対して、特定のジャンルデータを設定するか否かをユーザに問うステップである。たとえば、制御部は表示部１５に、図１１に示すような、前記ジャンルデータの設定をするか否かを問う画面を表示させる。そして、ユーザが本ステップＳ６５０にて、たとえば図１１で「設定する」メニュー１１１０を選択（ステップＳ６５０：ｙｅｓ）し、ジャンルデータが付与されていないデータにジャンルデータを入力（ステップＳ６６０）した上で、「設定を終了して次へ」メニュー１１２０を選択するか、ジャンルデータを入力しないと決定して「設定しないで次へ」メニュー１１００を選択する（ステップＳ６５０：ｎｏ）と、ステップＳ６７０に移行し、本フローチャートの一連の登録動作を終了する。
【００４６】
また、上記で説明した、楽曲データに付与するジャンルデータ、画像データに付与する地点情報やジャンルデータ、などは、随時ユーザによって編集可能である。たとえばユーザが図８に示すような「登録したデータを編集」メニュー８１０を選択することによる。
【００４７】
以上では、思い出の情報（思い出情報および思い出連想情報）としての楽曲データ、画像データの登録動作について説明した。続いて、これら思い出の情報をどのようにユーザに対してどのように提示するか、すなわち、どの思い出情報をどの条件で提示するか、また、どの思い出連想情報をどの条件で提示するかという提示条件（出力条件）を設定する必要がある。以下これらについて説明する。
【００４８】
［提示条件（出力条件）の設定］
図１２は、思い出の情報の提示条件（出力条件）の設定における、制御部の動作を示すフローチャートである。この設定動作の開始（ステップＳ１２００）は、ユーザの指示によってなされる。たとえば、図８に示す画面で、ユーザが「次へ」メニュー９３０を選択することによってなされる。あるいは、上述した画像データの登録動作を完了（たとえば図１１にて「設定を終了して次へ」メニュー１１２０を選択）することによってもなされる。
【００４９】
上記指示をうけて、動作はステップＳ１２１０に移行する。ステップＳ１２１０は、提示するべき思い出情報を選択するステップであり、たとえば制御部１９は表示部１５に図１３に示すような画面表示をさせてユーザに選択を促す。これにより、ユーザは思い出情報に楽曲データを設定するか、画像データを設定するかをたとえば選択ボタン１３００により選択することができる。
【００５０】
次に、ステップＳ１２２０は、設定した思い出情報の出力条件と、ジャンルを選択するステップである。たとえば先のステップＳ１２１０でユーザが思い出情報に画像データを選択した場合、表示されるべき画像データの撮影地点から、所定の距離範囲内に到達したときにその画像データが表示されるようにする必要がある。ゆえに出力条件は距離条件となる。
【００５１】
具体例として、ユーザは本ステップにて、思い出情報（画像データ）の出力条件として、たとえば設定項目メニュー１３１０によって「撮影地点から３００メートル以内」に到達した時点でその画像が表示されるように設定することができる。また、設定項目メニュー１３２０により表示させたい画像のジャンルを設定することができる。
【００５２】
そして設定完了後、「決定」メニュー１３３０を選択することで動作がステップＳ１２３０に移行する。もちろんユーザによっては、いちいち距離条件やジャンルを設定するのを煩雑に感じる場合もある。そのときにはステップＳ１２２０を省略することもできる。この場合には距離条件は予めデフォルト設定された条件に、ジャンルは全てのジャンルに設定される。
【００５３】
ステップＳ１２３０は提示するべき思い出連想情報を選択するステップであり、ステップＳ１２１０と同様に、制御部１９は表示部１５に図１４に示すような画面を表示させてユーザに選択を促す。これにより、ユーザは思い出連想情報に楽曲データを設定するか、画像データを設定するかをたとえば選択ボタン１４００により選択することができる。
【００５４】
次にステップＳ１２４０は、設定した思い出連想情報の出力条件を選択するステップである。たとえばステップＳ１２３０で思い出連想情報に楽曲データを選択した場合には、思い出情報（ここでは画像データ）の撮影日時から所定の日時範囲内において、もっとも頻繁に再生した楽曲を選択する必要がある。ゆえに出力条件は日時条件となる。
【００５５】
具体例として、ユーザは本ステップにて、思い出連想情報（楽曲データ）の出力条件として、たとえば設定項目メニュー１４１０によって「撮影日時から１０日以内」の範囲で最も頻度よく再生した楽曲が再生されるように設定することができる。
【００５６】
そして設定完了後、「決定」メニュー１４２０を選択し、次に図１５に示す確認画面を経て（たとえば確認メニュー１５００を選択することで）動作がステップＳ１２５０に移行し、出力設定の動作が終了する。
【００５７】
次に上記のように登録・設定した思い出の情報を実際に提示する場合の制御部１９の動作について、実施例をあげて説明する。
【実施例１】
【００５８】
本実施例でいうところの思い出情報とは画像データのことをさし、思い出連想情報とは楽曲データのことをさす。すなわちユーザが、出力条件の設定で、思い出情報に画像データを、思い出連想情報に楽曲データを指定した場合である。
【００５９】
本実施例は、画像データに付与された地点情報と位置検出器１０により取得された現在位置が所定の条件（距離条件）を満たし、かつ設定したジャンルと合致するときにその画像データを再生し、前記画像データに付与されている撮影日時情報から所定の時間範囲内において、その画像データのジャンルに合致し、かつ最も頻繁に再生された楽曲データを特定してその楽曲をも提示するものである。
【００６０】
以下この提示動作の詳細について、図１６に示すフローチャートをもとに説明する。本フローチャートの動作開始（ステップＳ１６００）については、ユーザが動作開始を許すか否かを予め操作部を利用することによって設定することが可能である。つまりユーザが本思い出情報提示システム１を使う必要がないと判断した場合にははじめから全く動作しないようにＯＦＦ設定することが可能であるし、逆にＯＦＦ設定していても、ユーザが本思い出情報提示システムを使いたいと感じればいつでも設定をＯＮ設定に切り換えることが可能である。そしてユーザは本システムの動作を常時手動にて操作（中止・再開操作）可能であることが望ましい。以下ではユーザにより本システムがＯＮ設定された場合について説明する。
【００６１】
ステップＳ１６１０は距離条件を判定するステップである。具体的には制御部１９は位置検出器１０により取得された現在位置情報と、ＨＤＤ装置１８内の画像データに付与されている撮影地点情報を比較する。そして出力条件の設定時に設定した出力条件（距離条件）に合致している（ステップＳ１６１０：ｙｅｓ）場合にはその中で、現在位置に最も近い撮影地点を持つ画像データを抽出してステップＳ１６２０に進み、どの画像データも前記距離条件に合致していない（ステップＳ１６１０：ｎｏ）場合には判定を続ける。ここで距離条件とはたとえば前述のように「現在地から撮影地点までが３００メートル以内の画像データを提示する」である。また、検索した画像データの距離条件が同じ場合には、画像データの再生回数の多いデータを優先させて選択する。
【００６２】
ステップＳ１６２０はジャンルを判定するステップである。具体的には制御部１９は、ステップＳ１６１０にて抽出した画像データに付与されたジャンルデータが、出力条件で設定されたジャンルデータと一致している（ステップＳ１６２０：ｙｅｓ）場合、あるいは出力条件の設定でユーザがジャンルを設定していない（ステップＳ１６２０：ｙｅｓ）場合にはステップＳ１６３０に進む。
【００６３】
一方、出力条件設定時にジャンルが設定されているが、抽出された画像データに付与されているジャンルデータとは一致していない（ステップＳ１６２０：ｎｏ）場合にはステップＳ１６１０に戻る。
【００６４】
制御部１９は、上記のステップＳ１６１０乃至ステップＳ１６２０のループ動作を繰り返し、前記出力条件（距離条件とジャンル）に合致する画像データをＨＤＤ装置内から探し出す。
【００６５】
ステップＳ１６３０では、制御部１９は、前記探し出した画像データを表示部１５に表示する。このとき音声などにより、特別な思い出の画像があることをユーザに対して報知してもよい。次に制御部１９はステップＳ１６４０に進み、ユーザにより設定された前記出力条件（日時条件）に合致する楽曲データがあるか否かを判定する。ここで、日時条件とはたとえば前述のように「画像データの撮影日時から１０日以内に最も頻繁に再生した楽曲」である。ここで、この条件を例にとれば、制御部１９は、楽曲データに付与されている再生回数データと、各再生回の日時データから、該当する（提示された）画像データの撮影日時から１０日以内での再生回数の合計が最も多い楽曲データを、ＨＤＤ装置１８内から検索する。そして、該当する楽曲データが見つかった場合には、ステップＳ１６５０に進む。
【００６６】
さて一方、ステップＳ１６４０で、該当する楽曲データが見つからない、すなわちたとえば画像撮影日時から１０日以内に再生した楽曲データがない（ステップＳ１６４０：ｎｏ）場合には、該当する思い出連想情報（楽曲データ）がないと判断してステップＳ１６５１に進み、前記画像データのみを表示する。そして、一定時間経過後に自動的に画像表示を消去し、ステップＳ１６８０に進む。
【００６７】
ステップＳ１６５０ではさらに前記ステップＳ１６４０にて抽出した思い出連想情報（楽曲データ）のジャンルが出力条件（表示されている画像のジャンル）に合致しているか否かを判定するステップである。ステップＳ１６４０にて抽出した楽曲データに付与されたジャンルデータが、画像データに付与されたジャンルデータと一致している（ステップＳ１６５０：ｙｅｓ）場合、あるいは出力条件の設定でユーザがジャンルを設定していない（ステップＳ１６５０：ｙｅｓ）場合にはステップＳ１６６０に進む。
【００６８】
一方、画像データのジャンルデータと、抽出された楽曲データに付与されているジャンルデータとは一致していない（ステップＳ１６５０：ｎｏ）場合にはステップＳ１６４０に戻る。
【００６９】
ステップＳ１６６０では、制御部１９は検索した楽曲データを再生させる。
【００７０】
このようにすることで、ユーザは、過去に、ある地点で画像を撮影し、その画像を思い出の情報として登録すれば、その後再びその撮影地点周辺を通りかかったときに、その画像が表示される。そしてそれだけでなく、表示される画像の撮影日時周辺に最もよく聴いていた楽曲が再生されるために、より撮影当時の思い出を効果的に想起することができるようになる。
【００７１】
さて、ステップＳ１６６５は、ステップＳ１６６０にて再生されている楽曲が再生中に、ユーザから操作部１２による再生停止指示が行われたか否かを判断するステップである。停止指示が行われた（ステップＳ１６６５：ｙｅｓ）場合には、楽曲の再生を停止して、ステップＳ１６７０に進む。一方で、停止指示が行われない（ステップＳ１６６５：ｎｏ）場合には再生を継続する。
【００７２】
ステップＳ１６７０は楽曲の再生が終了した際、またはユーザによって停止させられた際に、新たな楽曲を再生するか否かをユーザに対して問うステップである。ユーザが新たな思い出連想情報（楽曲データ）を再生させる指示を行う（ステップＳ１６７０：ｙｅｓ）と、ステップＳ１６４０に戻って今まで再生していた楽曲データ以外で条件に合致する楽曲データを検索する。すなわち、制御部１９はステップＳ１６４０以下に戻って、今まで再生していた楽曲データの次に指定期間での再生回数合計が多く、かつジャンルの一致する楽曲データがあるかどうかを検索する。以下同様であるため説明は省く。一方、前記指示を行わない（ステップＳ１６７０：ｎｏ）場合には、表示されている画像表示を消去するとともに、ステップＳ１６８０に進む。
【００７３】
ステップＳ１６８０は新たな思い出情報の提示を希望するか否かをユーザに問うステップであり、ユーザが希望する旨の指示を行う（ステップＳ１６８０：ｙｅｓ）と、制御部１９はステップＳ１６１０に戻り今まで表示していた画像データ以外の画像データを検索する。一方、前記指示を行わない（ステップＳ１６８０：ｎｏ）場合にはステップＳ１６９０に進んで動作を終了する。
【００７４】
このように、本実施例によれば、思い出情報の提示に加え、思い出連想情報の提示も行うことでよりユーザに過去の記憶を想起させ、結果として思い出を感じさせることができる。
【実施例２】
【００７５】
本実施例でいうところの思い出情報とは楽曲データのことをさし、思い出連想情報とは画像データのことをさす。すなわちユーザが、出力条件の設定で、思い出情報に楽曲データを、思い出連想情報に画像データを指定した場合である。本実施例は、具体的にはユーザが操作部１２により制御部１９に指示してＨＤＤ装置１８内の楽曲データを再生させると、前記楽曲データに付与されている再生回数データと各再生回の日時データを参照し、その楽曲が最も頻繁に再生されていた日時（最頻再生日時）を算出する。
【００７６】
この際頻再生日時とは以下のように算出される。まず、その楽曲データがＨＤＤ装置１８に記憶されてから、現在に至るまでの所定日数ごと（たとえば１０日ごと）の合計を算出し、その中で最も再生回数の多い時間帯域を特定する。その上で、該当する時間帯の中で最も再生回数の多い日時を検索し、最頻再生日時に決定する。
【００７７】
上記を概略的に示したのが図１７である。図１７は縦軸に、ある楽曲データの再生回数（単位：回）、横軸に時間（単位：日）をとり、その楽曲をＨＤＤ装置１８に記憶した日時（記憶日時：二重丸にて表示）から、現在（二重丸にて表示）に至るまでの再生回数の履歴を示した図である。なお、黒丸は各日ごとの再生回数を示している。
【００７８】
制御部１９は、まず、１０日ごとに期間（時間帯）を分け、各期間ごとの再生回数の総計を算出する。そして図に例示する各期間（期間１から期間３）のうち、もっとも前記総計の多い期間（図では、期間２が相当する）を特定する。
【００７９】
次に、特定した期間（期間２）の中で、最も再生回数の多い日を特定し、最頻再生日時１７００を決定する。このようにすれば、ユーザが楽曲を最も頻繁に聴いていた日時を特定することができる。この算出はあくまで一例に過ぎず、期間の幅は１０日である必要はない。
【００８０】
また、期間ごとで再生回数の総計が全く同一である場合には、各期間での最も再生回数の多い日のうち、より再生回数の多い日を最頻再生回数に決定する。また、期間ごとで再生回数総計が全く同一であり、かつ各期間での最も再生回数の多い日の再生回数も同一である場合には、現在から時間的に遠い方の期間での最も再生回数の多い日を最頻再生日時に決定する。
【００８１】
そして、楽曲のジャンルと上記で算出したその最頻再生日時とを用いて、ＨＤＤ装置１８内の画像データの中から、付与されたジャンルデータと撮影日時情報が、予めユーザにより設定された出力条件（たとえば前記算出した最頻再生日時から最も近い撮影日時情報を持つ画像データを選択するという条件）に合致している画像データを検索し、表示部１５に表示する。それと同時に前記検索された画像データに付与された地点情報（撮影地点情報）に基づいて撮影地点を地図表示し、ユーザが望めば現在位置からの経路案内を行うものである。
【００８２】
本実施例によればユーザがある楽曲をよく聴いていた日時周辺で、自分がある地点を訪れて画像を残したということを思い出すことができる。すなわち、前記楽曲を最も頻繁に聴いていた当時の思い出をより効果的に想起できる。また、本実施例はユーザが楽曲データに関連した思い出を感じるようなドライブの目的地を任意に設定したい時にその一助ともなりうる。
【００８３】
なお、出力条件の設定において、思い出連想情報に画像データを選択した場合には、その提示は安全上の観点から車両停止中にのみ行われるようにするのが好適である。
【００８４】
またこの最頻再生日時の算出は、上述のようにユーザによって出力条件が設定され、実際に提示する画像データを検索する時になってはじめて算出されるのではなく、普段から楽曲データが再生される度に逐次制御部１９が算出して予め楽曲データに付与しておいてもよい。そうすれば、この場合に日時条件に合致する画像データをより短時間に検索することができる。
【実施例３】
【００８５】
実施例１では、思い出情報の出力条件（ジャンル）に合致した画像の撮影地点に、車両が実際に近づくと、まず当該画像を表示する。それとともに表示した画像データのジャンルと撮影日時を参照し、その撮影日時を基準とする所定の時間範囲内において、最も再生頻度が高くかつジャンルの合致する（出力条件に合致する）楽曲データを探し出し、画像とともに提示した。
【００８６】
しかし、ユーザが画像の撮影地点を実際に訪れなくとも、表示部１５に表示された地図画面上の地点（たとえば、地図に表示される地点登録用アイコン）を選択することで、これら思い出情報や思い出連想情報を提示するようにしてもよい。
【００８７】
このようにするためにはまず、地図画面上でユーザが地点登録を行い、アイコンを設定したときに、そのアイコンデータにその地点の位置情報（緯度・経度情報）、そして、より好ましくはジャンルデータを付与してＨＤＤ装置１８内に記憶するように構成する。日時情報および位置情報は地点登録した時点で自動的に付与され、ジャンルデータは、ユーザの任意により入力や編集が可能にするとよい。
【００８８】
そしてユーザが上記実施例１のように思い出の情報の出力条件を設定（たとえば思い出情報を画像データとし、思い出連想情報を楽曲データとして設定）したのち、地図画面上のアイコンを選択する。これをうけて制御部１９は、選択されたアイコンデータのジャンルと位置情報を参照する。その一方でＨＤＤ装置１８内の画像データのジャンルと撮影地点情報を参照する。そして双方を比較して、（ジャンルと距離条件に）該当する画像データを表示部１５に表示させる。またそれとともに、表示させた画像データのジャンルと撮影日時データを参照し、ＨＤＤ装置１８内の楽曲データのジャンルと再生頻度との比較を行う。そして該当する楽曲データを再生する。
【００８９】
ところで、上記ではアイコンデータを選択することによって、画像データや楽曲データを再生するようにしたが、アイコンデータではなく、地図画面上の任意の地点を選択することによって、上記の動作がおこなわれるようにすることも可能である。たとえば、ユーザが地図画面上のある地点を選択（たとえば表示部１５上で触れる）すると、その地点情報を参照し、出力条件（距離条件）に合致する画像データを表示するとともに、その画像データのジャンルと撮影日時を参照し、出力条件にあった楽曲データを再生するようにしてもよい。
【００９０】
このように本実施例によれば、たとえば表示部１５に表示される地図画面上のアイコン（地点登録の際に生成された表示）や、あるいは地図上の任意の地点を選択すると、ユーザはその選択地点付近に関係する思い出の情報を提示させることができ、実際に前記地点を訪れることなく、思い出を想起することができる。
【００９１】
また、本発明でいう楽曲データとはＣＤ−ＤＡ（Ｃｏｍｐａｃｔ  Ｄｉｓｃ  Ｄｉｇｉｔａｌ  Ａｕｄｉｏ）規格によって規定された音楽データフォーマットやＭＰ３（ＭＰＥＧ  Ａｕｄｉｏ  Ｌａｙｅｒ−３）フォーマットによってデータ化された楽曲データのことをさし、画像データとはビットマップ形式、ベクター形式等に対応したフォーマットによる静止画像データのことをさす。
【００９２】
［変形例］
本発明は上記各実施形態に限らず、様々な形態を採りうる。たとえば、実施例１にて思い出連想情報である楽曲データを再生する際に、車両が、思い出情報である画像データの撮影地点に近づくにつれて再生音量を大きくしたり、また、遠ざかるにつれて再生音量を小さくしたりすることも、ユーザにとって、効果的に思い出を想起するのに役立つ。
【００９３】
また、上記実施例１では、思い出連想情報である楽曲データを提示する際に、ジャンルによって検索したが、たとえば、ジャンルに限らず、ユーザの設定によってたとえば演奏者や曲名などによって検索しても良い。これらは、上述したようなＣＤＤＢサーバから提供される。
【００９４】
さらに、上記実施形態で、楽曲関連データとして、楽曲を最も高い頻度で再生した日時データを算出して活用したが、その最も高い頻度で再生した日時データの代わりに、その楽曲が発売された日時を活用することも可能である。これは、ユーザが、当該楽曲が発売されたのと同時期にＨＤＤ装置１８に記憶させた場合や、ユーザが楽曲の発売日時に深い関心があり、その日時を基準として、思い出を思い出そうとする習慣がある場合に有効である。なお、楽曲が発売された日時（リリース日時）の情報は、前記ＣＤＤＢサーバから取得する。
【００９５】
また、ユーザがＨＤＤ装置１８内に記憶されている楽曲を、当該ＨＤＤ装置１８内の任意の画像データを表示することによって、再生させることも可能である。具体的にはたとえばユーザが任意の画像データを選んで表示させることにより、制御部１９は当該画像データの撮影日時を基準とする所定時間範囲内に最も再生回数合計の多い楽曲データを検索し、該当する楽曲データから任意のものを選択して再生する。ここでいう所定時間とは、予めプログラムによって設定された期間であり、たとえば数日から数週間程度の範囲が考えられる。このようにすれば、ユーザがＨＤＤ装置１８内に記憶された多数の楽曲データのうち、どの曲を再生するか迷った場合に、画像データを選択することによって楽曲データが自動的に再生される。
【００９６】
ところで、本実施形態ではＣＤ１１ａ（記憶媒体）からＣＤドライブ１１（データ入力器）により楽曲を入力したが、記憶媒体およびデータ入力器は、これのみに限らず、たとえばＤＶＤ（Ｄｉｇｉｔａｌ  Ｖｅｒｓａｔｉｌｅ  Ｄｉｓｋ）からＤＶＤドライブにより入力したり、ＵＳＢ（Ｕｎｉｖｅｒｓａｌ  Ｓｅｒｉａｌ  Ｂｕｓ）メモリからＵＳＢドライブにより入力したりすることも当然可能である。
【図面の簡単な説明】
【００９７】
【図１】本発明に係わる思い出情報提示システムの一例を示すブロック図である。
【図２】本発明に係わる思い出の情報のデータ構成例を示す概略図である。
【図３】本発明に係わる思い出の情報のデータ構成例を示す概略図である。
【図４】本発明に係わる思い出の情報のデータ構成例を示す概略図である。
【図５】本発明に係わる思い出の情報のデータ構成例を示す概略図である。
【図６】本発明に係わる思い出の情報の登録動作を示すフローチャートである。
【図７】本発明に係わる思い出の情報の登録動作時の表示例を示す図である。
【図８】本発明に係わる思い出の情報の登録動作時の表示例を示す図である。
【図９】本発明に係わる思い出の情報の登録動作時の表示例を示す図である。
【図１０】本発明に係わる思い出の情報の登録動作時の表示例を示す図である。
【図１１】本発明に係わる思い出の情報の登録動作時の表示例を示す図である。
【図１２】本発明に係わる思い出の情報の出力条件の設定動作を示すフローチャートである。
【図１３】本発明に係わる思い出の情報の出力条件設定時の表示例を示す図である。
【図１４】本発明に係わる思い出の情報の出力条件設定時の表示例を示す図である。
【図１５】本発明に係わる思い出の情報の出力条件設定時の表示例を示す図である。
【図１６】本発明に係わる思い出の情報の提示動作を示すフローチャートである。
【図１７】本発明に係わる最頻再生日時の決定動作の概要を示す略図である。
【符号の説明】
【００９８】
１・・・思い出情報提示システム
１０・・・位置検出器
１１・・・ＣＤドライブ
１２・・・操作部
１５・・・表示部
１７・・・情報授受部
１７ａ・・・車載カメラ
１７ｂ・・・携帯電話
１８・・・ＨＤＤ装置
１９・・・制御部
【図１】
2008039573.tif 000003
【図２】
2008039573.tif 000004
【図３】
2008039573.tif 000005
【図４】
2008039573.tif 000006
【図５】
2008039573.tif 000007
【図６】
2008039573.tif 000008
【図７】
2008039573.tif 000009
【図８】
2008039573.tif 000010
【図９】
2008039573.tif 000011
【図１０】
2008039573.tif 000012
【図１１】
2008039573.tif 000013
【図１２】
2008039573.tif 000014
【図１３】
2008039573.tif 000015
【図１４】
2008039573.tif 000016
【図１５】
2008039573.tif 000017
【図１６】
2008039573.tif 000018
【図１７】
2008039573.tif 000019